(57)【特許請求の範囲】
【請求項１】
第１の筐体と、
上記第１の筐体に支持され、上記第１の筐体を上方から覆う閉じ位置と、上記第１の筐体に対し起立する開き位置との間で回動可能な第２の筐体と、
上記第２の筐体に設けられ、この第２の筐体を閉じ位置に回動させた時に上記第１の筐体に引っ掛かるロック位置と、上記第１の筐体から離脱するロック解除位置との間に亘ってスライド可能であるとともに、上記第２の筐体を上記閉じ位置から上記開き位置に向けて回動させる際に操作する操作レバーを有するラッチと、を具備し、
上記ラッチの操作レバーは、外面と、この外面から突出し、上記操作レバーのスライド方向とは交差する方向に延びるとともに、上記操作レバーのスライド方向に間隔を存して配置された複数の第１のリブと、上記外面から突出し、上記操作レバーのスライド方向に延びる少なくとも１つの第２のリブと、を有することを特徴とする電子機器。
【請求項２】
第１の筐体と、
上記第１の筐体に支持された一端と、この一端とは反対側に位置する他端とを有し、上記一端を支点に上記第１の筐体を上方から覆う閉じ位置と、上記第１の筐体に対し起立する開き位置との間で回動可能な第２の筐体と、
上記第２の筐体の他端に設けられ、この第２の筐体を閉じ位置に回動させた時に上記第１の筐体に引っ掛かるロック位置と、上記第１の筐体から離脱するロック解除位置との間に亘って上記第２の筐体の幅方向にスライド可能であるとともに、上記第２の筐体を上記閉じ位置から上記開き位置に向けて回動させる際に操作する操作レバーを有するラッチと、を具備し、
上記ラッチの操作レバーは、外面と、この外面から突出し、上記操作レバーのスライド方向とは交差する方向に延びるとともに、上記操作レバーのスライド方向に間隔を存して配置された複数の第１のリブと、上記外面から突出し、上記第１のリブと交差する方向に延びる少なくとも一つの第２のリブと、を有することを特徴とする電子機器。
【請求項３】
請求項１又は請求項２の記載において、上記第１のリブは、上記操作レバーをロック位置からロック解除位置に向けてスライドさせる際に、そのスライド方向に沿う前側に位置する前縁部と、上記操作レバーのスライド方向に沿う後側に位置する後縁部とを有し、上記第１のリブの後縁部は、上記前縁部よりも角張っていることを特徴とする電子機器。
【請求項４】
請求項１又は請求項２の記載において、上記第２のリブは、上記第２の筐体を閉じ位置から開き位置に回動させる際に、その回動方向に沿う前側に位置する前縁部と、上記第２の筐体の回動方向に沿う後側に位置する後縁部とを有し、上記第２のリブの後縁部は、上記前縁部よりも角張っていることを特徴とする電子機器。
【請求項５】
請求項１又は請求項２の記載において、上記第１のリブの突出高さは、上記第２のリブの突出高さと等しいことを特徴とする電子機器。
【請求項６】
請求項１又は請求項２の記載において、上記第２のリブの突出高さは、上記第１のリブの突出高さよりも大きいことを特徴とする電子機器。
【請求項７】
請求項１又は請求項２の記載において、上記第１のリブの長さは、上記操作レバーをロック位置からロック解除位置にスライドさせる際の上記操作レバーのスライド方向に沿う前側に進むに従い長くなっていることを特徴とする電子機器。
【請求項８】
請求項１又は請求項２の記載において、上記第１のリブの突出高さは、上記操作レバーをロック位置からロック解除位置にスライドさせる際の上記操作レバーのスライド方向に沿う前側に進むに従い増大していることを特徴とする電子機器。
【請求項９】
請求項２の記載において、上記ラッチの操作レバーは、上記第２の筐体の幅方向に沿う中央部に位置することを特徴とする電子機器。
【請求項１０】
請求項１又は請求項２の記載において、上記第２のリブは、上記隣り合う第１のリブの間に跨っていることを特徴とする電子機器。
【請求項１１】
請求項１又は請求項２の記載において、上記操作レバーの外面、第１のリブおよび第２のリブは、めっき層によって覆われていることを特徴とする電子機器。
【請求項１２】
第１の筐体と、
上記第１の筐体に支持され、上記第１の筐体を上方から覆う閉じ位置と、上記第１の筐体に対し起立する開き位置との間で回動可能な第２の筐体と、
上記第２の筐体に設けられ、この第２の筐体を閉じ位置に回動させた時に、上記第１の筐体に引っ掛かるロック位置と、上記第１の筐体から離脱するロック解除位置との間に亘ってスライド可能であるとともに、上記第２の筐体を上記閉じ位置から上記開き位置に向けて回動させる際に操作する操作レバーを有するラッチと、を具備し、
上記ラッチの操作レバーは、手の指先が接する外面と、この外面から突出し、上記操作レバーのスライド方向に間隔を存して並んでいるとともに、上記操作レバーのスライド方向に対し傾斜する複数のリブと、を有することを特徴とする電子機器。
【請求項１３】
請求項１２の記載において、上記リブは、上記操作レバーのスライド方向に沿って互いに同方向に傾斜する第１の部分と、この第１の部分の先端から上記第１の部分の傾斜方向とは逆向きに傾斜する第２の部分と、を有することを特徴とする電子機器。
【請求項１４】
請求項１、請求項２又は請求項１２のいずれかの記載において、上記ラッチの操作レバーは、ロック位置に向けて弾性的に付勢されていることを特徴とする電子機器。
【発明の詳細な説明】
【０００１】
【発明の属する技術分野】
本発明は、開閉可能なディスプレイユニットを有するポータブルコンピュータのような電子機器に係り、特にそのディスプレイユニットを閉じ位置にロックしたり、このロックを解除するラッチの構造に関する。
【０００２】
【従来の技術】
ポータブルコンピュータは、上面にキーボードを有するコンピュータ本体と、液晶ディスプレイパネルを内蔵したディスプレイユニットとを備えている。ディスプレイユニットは、その一端に脚部を有し、この脚部がコンピュータ本体の後端にヒンジを介して連結されている。このため、ディスプレイユニットは、キーボードを上方から覆うように横たわる閉じ位置と、キーボードや液晶ディスプレイパネルを露出させるように起立する開き位置との間で回動可能となっている。
【０００３】
この種のポータブルコンピュータは、ディスプレイユニットを閉じ位置にロックするラッチを備えている。ラッチは、ディスプレイユニットに組み込まれており、例えばその脚部とは反対側の他端の中央部に位置している。ラッチは、手の指先を掛ける操作レバーと、この操作レバーから突出する係合爪とを備えている。操作レバーは、ロック位置とロック解除位置との間に亘ってスライド可能にディスプレイユニットに支持されているとともに、スプリングを介してロック位置の方向に弾性的に付勢されている。この操作レバーのスライド方向は、ディスプレイユニットの幅方向に沿っている。
【０００４】
ディスプレイユニットを閉じ位置に回動させると、ラッチの係合爪がコンピュータ本体の上面の係合穴に引っ掛かる。これにより、ディスプレイユニットが閉じ位置に保持される。この状態で、ラッチの操作レバーを手の指先でロック位置からロック解除位置に向けてスライドさせると、係合爪と係合穴との係合が解除され、ディスプレイユニットを閉じ位置から開き位置に向けて回動させることができる。
【０００５】
ところで、従来の操作レバーは、手の指先が接する外面を有し、この外面に複数のリブ状の突起が形成されている。突起は、操作レバーのスライド方向と直交する方向に延びているとともに、そのスライド方向に間隔を存して平行に配置されている。この突起の存在により、操作レバーを手の指先でロック位置からロック解除位置に向けて押圧する際に、操作レバーに指先が掛かり易くなり、操作レバーをロック解除位置に確実にスライドさせることができる（例えば、特許文献１参照）。
【０００６】
【特許文献１】
特開平6−59778号公報（段落番号0069〜0076、図１〜３，６，７）
【０００７】
【発明が解決しようとする課題】
ラッチの操作レバーは、スプリングによりロック位置に向けて付勢されているので、操作レバーをロック解除位置にスライドされた後、この操作レバーから手を離すと、操作レバーがロック位置に戻ってしまう。このため、ディスプレイユニットを閉じ位置から開き位置に回動させる際には、操作レバーを手の指先でロック解除位置に保持したまま、この操作レバーを指先で押し上げている。これにより、ディスプレイユニットに上向きの力が加わり、このディスプレイユニットがコンピュータ本体から遠ざかる方向に回動する。
【０００８】
ところが、操作レバーの押し上げ動作は、操作レバーのスライド方向とは略直交する方向に沿ってなされるので、操作レバーに指先を掛け易くするための突起は、操作レバーの押し上げ方向に沿って延びることになる。この結果、操作レバーに指先を押し付けてディスプレイユニットを開く時に、この指先の腹が突起に引っ掛かり難くなり、指先が滑って操作レバーから外れることがあり得る。
【０００９】
よって、ディスプレイユニットを閉じ位置から開き位置に向けて回動させる際の操作性が損なわれてしまい、ディスプレイユニットを開け難くなるといった問題がある。
【００１０】
本発明の目的は、第２の筐体を閉じ位置から開き位置に回動させる際に、操作レバーに手の指先をしっかりと引っ掛けることができ、操作レバーの操作性が向上する電子機器を得ることにある。
【００１１】
【課題を解決するための手段】
上記目的を達成するため、本発明の一つの形態に係る電子機器は、
第１の筐体と、
上記第１の筐体に支持され、上記第１の筐体を上方から覆う閉じ位置と、上記第１の筐体に対し起立する開き位置との間で回動可能な第２の筐体と、
上記第２の筐体に設けられ、この第２の筐体を閉じ位置に回動させた時に上記第１の筐体に引っ掛かるロック位置と、上記第１の筐体から離脱するロック解除位置との間に亘ってスライド可能であるとともに、上記第２の筐体を閉じ位置から開き位置に向けて回動させる際に操作する操作レバーを有するラッチと、を具備している。
上記ラッチの操作レバーは、手の指先が接する外面と、この外面から突出し、上記操作レバーのスライド方向とは交差する方向に延びるとともに、上記操作レバーのスライド方向に間隔を存して配置された複数の第１のリブと、上記外面から突出し、上記操作レバーのスライド方向に延びる少なくとも１つの第２のリブと、を有することを特徴としている。
【００１２】
この構成によれば、操作レバーを手の指先でロック位置からロック解除位置にスライドさせる際に、第１のリブが指先に引っ掛かり、この指先の滑りを防止する。さらに、操作レバーを介して第２の筐体を閉じ位置から開き位置に向けて押し上げる際には、操作レバーのスライド方向に延びる第２のリブが指先に引っ掛かり、この指先の滑りを防止する。よって、操作レバーに指先を掛け易くなり、操作レバーのスライド操作およびそれに引き続く押し上げ動作を容易に行うことができる。
【００１３】
【発明の実施の形態】
以下本発明の第１の実施の形態を図１ないし図８にもとづいて説明する。
【００１４】
図１および図２は、電子機器としてのポータブルコンピュータ１を開示している。ポータブルコンピュータ１は、コンピュータ本体２とディスプレイユニット３とで構成されている。
【００１５】
コンピュータ本体２は、第１の筐体４を備えている。第１の筐体４は、上壁４ａ、左右の側壁４ｂ、前壁４ｃおよび図示しない底壁を有する偏平な箱形をなしている。上壁４ａは、パームレスト５およびキーボード取り付け部６を有している。パームレスト５は、上壁４ａの前端部において第１の筐体４の幅方向に延びており、このパームレスト５の幅方向の中央部に係合穴８が形成されている。係合穴８は、パームレスト５の前端縁に位置している。キーボード取り付け部６は、パームレスト５の後方に位置するとともに、キーボード９を支持している。
【００１６】
さらに、上壁４ａの後端に一対のスピーカユニット７ａ，７ｂが取り付けられている。スピーカユニット７ａ，７ｂは、キーボード９の後方において第１の筐体４の幅方向に互いに離れているとともに、上壁４ａの後端から上向きに突出している。
【００１７】
ディスプレイユニット３は、第２の筐体としてのディスプレイハウジング１０と液晶ディスプレイパネル１１とを備えている。ディスプレイハウジング１０は、前壁１２ａ、後壁１２ｂ、左右の側壁１２ｃおよび上壁１２ｄを有する偏平な箱形であり、その前壁１２ａに四角い開口部１３が形成されている。液晶ディスプレイパネル１１は、画像を表示するスクリーン１１ａを有している。スクリーン１１ａは、開口部１３を介してディスプレイハウジング１０の外部に露出している。
【００１８】
図１および図２に示すように、ディスプレイハウジング１０は、その一端に脚部１５を有している。脚部１５は、第１の筐体４のスピーカユニット７ａ，７ｂの間に導かれるとともに、図示しないヒンジを介して第１の筐体４の後端に連結されている。ヒンジは、第１の筐体４の幅方向に沿う水平な軸線X1を有している。
【００１９】
このため、ディスプレイユニット３は、ヒンジの軸線X1を回動中心として閉じ位置と開き位置との間で回動可能となっている。図２に示すように、ディスプレイユニット３が閉じ位置に回動された状態では、ディスプレイユニット３がパームレスト５やキーボード９を上方から覆うように横たわっている。この閉じ位置では、ディスプレイハウジング１０の上壁１２ｄおよび側壁１２ｃが第１の筐体４の前壁４ｄおよび側壁４ｂに連続している。
【００２０】
図１に示すように、ディスプレイユニット３が開き位置に回動された状態では、ディスプレイユニット３がコンピュータ本体２に対し起立しており、パームレスト５、キーボード９およびスクリーン１１ａがポータブルコンピュータ１の外方に露出している。
【００２１】
図１および図２に示すように、ディスプレイユニット３は、このディスプレイユニット３を閉じ位置にロックしたり、ロックを解除するラッチ２０を備えている。ラッチ２０は、ディスプレイハウジング１０の脚部１５とは反対側の他端に一体的に組み込まれている。
【００２２】
詳しく述べると、ディスプレイハウジング１０の上壁１２ｄは、上記脚部１５とは液晶ディスプレイパネル１１を間に挟んだ反対側に位置し、この上壁１２ｄの幅方向に沿う中央部に切り欠き部２１が形成されている。切り欠き部２１は、ディスプレイハウジング１０の幅方向に延びる細長い開口形状を有している。
【００２３】
上記ラッチ２０は、ディスプレイハウジング１０の他端に支持された操作レバー２２を備えている。操作レバー２２は、ディスプレイハウジング１０の幅方向に延びる短冊状をなしており、例えば手の親指の指先を掛けるに十分な大きさを有している。この操作レバー２２は、切り欠き部２１の内側に位置するとともに、この切り欠き部２１を通じてディスプレイハウジング１０の外方に露出している。
【００２４】
さらに、操作レバー２２は、ロック位置とロック解除位置との間に亘ってスライド可能となっており、図示しないスプリングによりロック位置の方向に付勢されている。この操作レバー２２のスライド方向は、ディスプレイハウジング１０の幅方向に沿っている。
【００２５】
操作レバー２２は、係合爪２３を有している。係合爪２３は、操作レバー２２と一体にスライドするものであり、その先端部がディスプレイハウジング１０の前壁１２ａに開けたスリット２４を通じてディスプレイハウジング１０の前壁１２ａの上に突出している。
【００２６】
操作レバー２２の係合爪２３は、ディスプレイユニット３が閉じ位置に回動された時に、上壁４ａの係合穴８に入り込むとともに、この係合穴８の開口縁部に引っ掛かる。これにより、ディスプレイユニット３が閉じ位置にロックされる。ディスプレイユニット３が閉じ位置にロックされた状態において、ラッチ２０の操作レバー２２を手の指先Fでロック位置からロック解除位置に向けてスライドさせると、係合爪２３と係合穴８との係合が解除される。このため、係合爪２３が係合穴８から引き出し可能な状態に移行し、ディスプレイユニット３を閉じ位置から開き位置に向けて回動させることができる。
【００２７】
ところで、図３ないし図６に示すように、ラッチ２０の操作レバー２２は、手の指先Fが接する平坦な外面２６を有している。外面２６は、ディスプレイハウジング１０の上壁１２ｄと同一面上に位置するか、もしくはこの上壁１２ｄから僅かに突出している。この外面２６の上に複数の第１のリブ２７と、単一の第２のリブ２８が形成されている。第１および第２のリブ２７，２８は、外面２６から突出しており、これらリブ２７，２８の突出高さは、互いに同等となっている。
【００２８】
第１のリブ２７は、操作レバー２２のスライド方向とは直交する方向に延びているとともに、操作レバー２２のスライド方向に間隔を存して互いに平行に配置されている。言い換えると、第１のリブ２７は、ディスプレイハウジング１０の厚み方向に沿って延びている。このため、第１のリブ２７の一端は、ディスプレイハウジング１０の前壁１２ａに隣接するとともに、第１のリブ２７の他端は、ディスプレイハウジング１０の後壁１２ｂに隣接している。
【００２９】
第２のリブ２８は、操作レバー２２のスライド方向に沿って延びている。具体的に述べると、第２のリブ２８は、第１のリブ２７の一端の間に跨るように一直線状に延びており、これら第１のリブ２７と直交している。そのため、第２のリブ２８は、第１のリブ２７に対しディスプレイハウジング１０の後壁１２ｂよりも前壁１２ａの方向に偏っており、上記ディスプレイユニット３を閉じ位置から開き位置に回動させる際には、その回動方向に沿う後側に位置している。
【００３０】
図７に示すように、第１のリブ２７は、前縁部２９ａと後縁部２９ｂとを有している。第１のリブ２７の前縁部２９ａは、操作レバー２２をロック位置からロック解除位置に向けてスライドさせる際に、そのスライド方向に沿う前側に位置している。第１のリブ２７の後縁部２９ｂは、操作レバー２２をロック位置からロック解除位置に向けてスライドさせる際に、そのスライド方向に沿う後側に位置している。この後縁部２９ｂは、前縁部２９ａに比べて角張っており、この後縁部２９ｂに指先Fの腹が引っ掛かり易くなっている。
【００３１】
図８に示すように、第２のリブ２８は、前縁部３０ａと後縁部３０ｂとを有している。第２のリブ２８の前縁部３０ａは、ディスプレイユニット３を閉じ位置から開き位置に向けて押し上げる際に、その押し上げ方向に沿う前側に位置している。第２のリブ２８の後縁部３０ｂは、ディスプレイユニット３を閉じ位置から開き位置に向けて押し上げる際に、その押し上げ方向に沿う後側に位置している。この後縁部３０ｂは、前縁部３０ａに比べて角張っており、この後縁部３０ｂに指先Fの腹が引っ掛かり易くなっている。
【００３２】
操作レバー２２の外面２６、第１のリブ２７および第２のリブ２８は、めっき層３１によって覆われている。めっき層３１は、操作レバー２２の外観品質を高めるためのものである。このめっき層３１の存在により、外面２６、第１のリブ２７および第２のリブ２８の平滑度が高まり、操作レバー２２を指先Fで触れた時の感触が良好となっている。
【００３３】
次に、閉じ位置にロックされたディスプレイユニット３を開き位置に回動させる手順について説明する。
【００３４】
まず、例えば手の親指の指先Fを操作レバー２２の外面２６に押し当て、この操作レバー２２をスプリングの付勢力に抗してロック位置からロック解除位置にスライドさせる。このスライドにより、係合爪２３と係合穴８との係合が解除され、係合爪２３が係合穴８から引き出し可能な状態に移行する。
【００３５】
次に、操作レバー２２を指先Fでロック解除位置に保持したまま、操作レバー２２を押し上げる。この押し上げ動作により、ディスプレイユニット３がヒンジの軸線X1を中心に上向きに回動し、係合爪２３が係合穴８から引き出される。この際、ディスプレイハウジング１０の他端が第１の筐体４の上壁４ａから浮き上がり、ここに隙間が生じる。そのため、操作レバー２２を押し上げている指先Fを隙間の方向に少しずらしてディスプレイハウジング１０の他端に引っ掛け、この指先Fでディスプレイユニット３を開き位置に向けて回動させる。この回動によりディスプレイユニット３が起立し、ヒンジのブレーキ力により開き位置に保持される。
【００３６】
このような構成のポータブルコンピュータ１によると、操作レバー２２の外面２６から突出する複数の第１のリブ２７は、操作レバー２２のスライド方向と直交する方向に延びるとともに、このスライド方向に間隔を存して一列に並んでいる。そのため、第１のリブ２７は、操作レバー２２をロック位置からロック解除位置にスライドさせる際に手の指先Fに引っ掛かり、この指先Fの滑りを防止する。
【００３７】
特に第１のリブ２７は、操作レバー２２のスライド方向に沿う後側に位置する後縁部２９ｂが前縁部２９ａよりも角張っているので、この後縁部２９ｂに指先Fの腹を掛け易くなる。そのため、操作レバー２２をロック位置からロック解除位置に向けてスライドさせる際の操作性が良好となる。
【００３８】
さらに、外面２６から突出する第２のリブ２８は、第１のリブ２７の一端に間に跨るように操作レバー２２のスライド方向に沿って真っ直ぐに延びている。このため、操作レバー２２を手の指先Fでロック解除位置に保持したまま、この操作レバー２２を押し上げる段階では、第２のリブ２８が操作レバー２２の押し上げ方向とは直交する方向に沿って延びることになる。よって、第２のリブ２８が手の指先Fに引っ掛かり、この指先Fの滑りを防止する。
【００３９】
加えて、第２のリブ２８は、操作レバー２２の押し上げ方向に沿う後側に位置する後縁部３０ｂが前縁部３０ａよりも角張っているので、この後縁部３０ｂに指先の腹を掛け易くなる。このことから、操作レバー２２を押し上げる力がディスプレイハウジング１０に無駄なく伝わり、ディスプレイユニット３を閉じ位置から開き位置に向けて確実に回動させることができる。
【００４０】
この結果、ロック解除位置に向けての操作レバー２２のスライド操作およびこのスライド操作と直交する方向への操作レバー２２の押し上げ動作を遂行する際に、操作レバー２２に手の指先Fを確実に引っ掛けることができる。よって、ディスプレイユニット３を閉じ位置から開き位置に回動させる際の操作性が格段に向上する。
【００４１】
特に本実施の形態のように、外面２６、第１のリブ２７および第２のリブ２８が平滑なめっき層３１で覆われていても、操作レバー２２を指先Fで押し上げる際に、この指先Fの腹が第２のリブ２８に引っ掛かる。そのため、ディスプレイユニット３を閉じ位置から開き位置に向けて回動させる際に、指先Fの滑りを確実に防止できる。
【００４２】
なお、本発明は上記第１の実施の形態に特定されるものではなく、図９および図１０に本発明の第２の実施の形態を示す。
【００４３】
この第２の実施の形態は、操作レバー２２を押し上げる際の指先Fの滑りを防止するための構成が上記第１の実施の形態と相違している。これ以外のラッチ２０の基本的な構成は、第１の実施の形態と同様である。
【００４４】
図９および図１０に示すように、操作レバー２２は、外面２６から突出する一対の第２のリブ４０ａ，４０ｂを備えている。一方の第２のリブ４０ａは、第１のリブ２７の一端の間に跨るように一直線状に延びており、これら第１のリブ２７と直交している。一方の第２のリブ４０ａは、ディスプレイハウジング１０の後壁１２ｂよりも前壁１２ａの方向に偏っており、上記ディスプレイユニット３を閉じ位置から開き位置に回動させる際に、その回動方向に沿う後側に位置している。さらに、第２のリブ４０ａと第１のリブ２７の突出高さは、互いに同等となっている。
【００４５】
他方の第２のリブ４０ｂは、第１のリブ２７の他端の間に跨るように一直線状に延びており、これら第１のリブ２７と直交している。そのため、第２のリブ４０ａ，４０ｂは、操作レバー２２の押し上げ方向に間隔を存して互いに平行に配置されており、これら第２のリブ４０ａ，４０ｂの間に第１のリブ２７が位置している。
【００４６】
さらに、他方の第２のリブ４０ｂは、ディスプレイハウジング１０の前壁１２ａよりも後壁１２ｂの方向に偏っており、操作レバー２２の押し上げ方向に沿う前側に位置している。それとともに、この第２のリブ４０ｂは、第１のリブ２７よりも突出高さが大きくなっている。そのため、図１０に示すように、他方の第２のリブ４０ｂの先端部４１は、第１のリブ２７および一方の第２のリブ４０ａよりも前壁１２ａから遠ざかる方向に張り出している。
【００４７】
このような構成によると、操作レバー２２は、その押し上げ方向に互いに離間して平行に配置された一対の第２のリブ４０ａ，４０ｂを有している。このため、操作レバー２２を指先Fで押し上げる際に、二本の第２のリブ４０ａ，４０ｂが指先Fの腹に食い込み、指先Fの滑りを防止する。特に操作レバー２２の押し上げ方向に沿う前側に位置する第２のリブ４０ｂは、その突出高さが他のリブ２７，４０ａよりも大きいので、第２のリブ４０ｂの先端部４１に指先Fの腹が掛かり易くなる。
【００４８】
したがって、操作レバー２２を押し上げる際に、指先Fがより一層滑り難くなり、操作レバー２２を押し上げる力が確実にディスプレイユニット３に伝わる。この結果、ディスプレイユニット３を閉じ位置から開き位置に向けて速やかに回動させることができる。
【００４９】
図１１は、本発明の第３の実施の形態を開示している。
【００５０】
この第３の実施の形態は、第１のリブ２７の突出高さHを変化させた点が上記第１の実施の形態と相違している。それ以外のラッチ２０の構成は、第１の実施の形態と同様である。
【００５１】
図１１に示すように、第１のリブ２７の突出高さHは、操作レバー２２をロック位置からロック解除位置に向けてスライドさせる際の操作レバー２２のスライド方向に沿う前側に進むに従い増大している。このため、操作レバー２２のスライド方向に沿う前端に位置する第１のリブ２７は、その突出高さHが操作レバー２２のスライド方向に沿う後端に位置する他の第１のリブ２７よりも大きくなっている。
【００５２】
このような構成によると、操作レバー２２のスライド方向に沿う前側に進むに従い第１のリブ２７の突出高さHが増大している。このため、ディスプレイユニット３のロックを解除する方向に操作レバー２２を指先Fで押圧する際に、第１のリブ２７の先端に指先Fの腹が確実に引っ掛かる。よって、操作レバー２２をスライド操作する際の指先Fの滑りを防止でき、操作レバー２２の操作性が良好となる。
【００５３】
図１２は、本発明の第４の実施の形態を開示している。
【００５４】
この第４の実施の形態は、第１のリブ２７の長さLを変化させた点が上記第１の実施の形態と相違している。それ以外のラッチ２０の構成は、第１の実施の形態と同様である。
【００５５】
図１２に示すように、第１のリブ２７の長さLは、操作レバー２２をロック位置からロック解除位置に向けてスライドさせる際の操作レバー２２のスライド方向に沿う前側に進むに従い増大している。このため、操作レバー２２のスライド方向に沿う前端に位置する第１のリブ２７は、その長さLが操作レバー２２のスライド方向に沿う後端に位置する他の第１のリブ２７よりも長くなっている。
【００５６】
このような構成によると、操作レバー２２をロック位置からロック解除位置にスライドさせる際には、第１のリブ２７が指先に引っ掛かり、この指先の滑りを防止する。さらに、操作レバー２２を押し上げる際には、第２のリブ２８が指先に引っ掛かり、この指先の滑りを防止する。したがって、操作レバー２２に指先を掛け易くなり、操作レバー２２のスライド操作およびそれに引き続く押し上げ動作を確実に行うことができる。
【００５７】
加えて、第１のリブ２７の長さLが操作レバー２２のスライド方向に沿う前側に進むに従い長くなっているので、全ての第１のリブ２７が操作レバー２２のスライド方向を示す矢印としての機能を果す。そのため、操作レバー２２の外面２６を見るだけで、ディスプレイユニット３のロックを解除する際の操作レバー２２のスライド方向を認識することができる。
【００５８】
図１３は、本発明の第５の実施の形態を開示している。
【００５９】
この第５の実施の形態は、操作レバー２２に対する指先の滑りを防止するための構成が上記第１の実施の形態と相違している。これ以外のラッチ２０の基本的な構成は、第１の実施の形態と同様である。
【００６０】
図１３に示すように、操作レバー２２は、外面２６から突出する複数のリブ５０を有している。リブ５０は、夫々操作レバー２２のスライド方向に沿う直線Sに対し角度θ傾斜しているとともに、操作レバー２２のスライド方向に互いに間隔を存して平行に配置されている。
【００６１】
このような構成によると、操作レバー２２をロック位置からロック解除位置にスライドさせる際には、リブ５０が指先に引っ掛かり、この指先の滑りを防止する。さらに、リブ５０を操作レバー２２のスライド方向に対し傾斜させたことにより、操作レバー２２を押し上げる際には、リブ５０の長さ方向に沿う縁部が指先に引っ掛かり、この指先の滑りを防止する。したがって、操作レバー２２に指先を掛け易くなり、操作レバー２２のスライド操作およびそれに引き続く押し上げ動作を確実に行うことができる。
【００６２】
さらに、図１４は、本発明の第６の実施の形態を開示している。
【００６３】
図１４に示すように、操作レバー２２は、外面２６から突出する複数のリブ６０を有している。リブ６０は、操作レバー２２のスライド方向に間隔を存して一列に並んでいる。各リブ６０は、第１の部分６１ａと第２の部分６１ｂとを有している。第１の部分６１ａは、操作レバー２２のスライド方向に沿う直線Sに対し角度θ傾斜している。第２の部分６１ｂは、第１の部分６１ａの先端から第１の部分６１ａの傾斜方向とは逆向きに傾斜している。そのため、各リブ６０は、操作レバー２２のスライド方向に沿って先細りとなる略V形の形状を有している。
【００６４】
このような構成によると、操作レバー２２をロック位置からロック解除位置にスライドさせる際には、リブ６０が指先に引っ掛かり、この指先の滑りを防止する。さらに、リブ６０は、操作レバー２２のスライド方向に沿って先細りとなる略V形の形状を有するので、操作レバー２２を指先で押し上げる際には、V形に折れ曲がったリブ６０の縁部が指先に引っ掛かり、この指先の滑りを防止する。したがって、操作レバー２２に指先を掛け易くなり、操作レバー２２のスライド操作およびそれに引き続く押し上げ動作を容易に行うことができる。
【００６５】
なお、上記実施の形態では、操作レバーをディスプレイハウジングの上壁の中央部に配置したが、本発明はこれに制約されるものではない。例えばディスプレイハウジングの左右の側壁の端部に夫々操作レバーを配置し、これら操作レバーを両手で操作するようにしてもよい。
【００６６】
また、本発明に係る電子機器は、ポータブルコンピュータに特定されるものではなく、例えば入力・表示画面を覆う蓋を有するその他の電子機器であってもよい。この電子機器では、蓋が第２の筐体に相当する。
【００６７】
【発明の効果】
以上詳述した本発明によれば、操作レバーに指先を掛け易くなり、操作レバーのスライド操作およびそれに引き続く押し上げ動作を容易に行うことができる。
【図面の簡単な説明】
【図１】  ディスプレイユニットを開き位置に回動させた状態を示す本発明の第１の実施の形態に係るポータブルコンピュータの斜視図。
【図２】  ディスプレイユニットを閉じ位置に回動させた状態を示す本発明の第１の実施の形態に係るポータブルコンピュータの斜視図。
【図３】  図１のF3部を拡大して示す斜視図。
【図４】  図２のF4部を拡大して示す斜視図。
【図５】  本発明の第１の実施の形態において、ラッチの操作レバーがロック位置に保持された状態を示すポータブルコンピュータの正面図。
【図６】  本発明の第１の実施の形態において、操作レバーの第１および第２のリブの位置関係を示す断面図。
【図７】  図５のF7−F7線に沿う断面図。
【図８】  図５のF8−F8線に沿う断面図。
【図９】  操作レバーの第１および第２のリブの位置関係を示す本発明の第２の実施の形態に係るポータブルコンピュータの斜視図。
【図１０】  本発明の第２の実施の形態において、操作レバーの第１および第２のリブの位置関係を示す断面図。
【図１１】  操作レバーの第１のリブの形状を示す本発明の第３の実施の形態に係る断面図。
【図１２】  操作レバーの第１のリブの形状を示す本発明の第４の実施の形態に係るポータブルコンピュータの正面図。
【図１３】  操作レバーのリブの形状を示す本発明の第５の実施の形態に係るポータブルコンピュータの正面図。
【図１４】  操作レバーのリブの形状を示す本発明の第６の実施の形態に係るポータブルコンピュータの正面図。
【符号の説明】
４…第１の筐体、１０…第２の筐体（ディスプレイハウジング）、２０…ラッチ、２２…操作レバー、２６…外面、２７…第１のリブ、２８，４０ａ，４０ｂ…第２のリブ、５０，６０…リブ。
【図１】
0003696215.tif 000002
【図２】
0003696215.tif 000003
【図３】
0003696215.tif 000004
【図４】
0003696215.tif 000005
【図５】
0003696215.tif 000006
【図６】
0003696215.tif 000007
【図７】
0003696215.tif 000008
【図８】
0003696215.tif 000009
【図９】
0003696215.tif 000010
【図１０】
0003696215.tif 000011
【図１１】
0003696215.tif 000012
【図１２】
0003696215.tif 000013
【図１３】
0003696215.tif 000014
【図１４】
0003696215.tif 000015